(57)【要約】【課題】口先部材の締め付け力を低減し、口先部材が容易に外れることがない、グリップ部材を圧縮した状態に配設した筆記具の軸筒を、簡単な構造で提供することにある。【解決手段】グリップ部材の長さを前軸の段部と口先部材の後端面間の距離より大きくし、前記グリップ部材を前記前軸の段部と口先部材の後端面間で圧縮して保持するとともに、前記グリップ部材の後端外径を前軸の段部の外径及び後軸の内径よりも大きく形成し、且つ前記口先部材の端面と後軸の先端面間との距離を前記グリップ部材の長さより小さくすることにより、前記後軸の先端面と前記口先部材の後端面間で、前記グリップ部材をさらに圧縮した状態に挟持して配設する。【選択図】図１
2008207422.tif 000002
【特許請求の範囲】
【請求項１】
前軸と後軸を螺着することによって軸筒本体を構成し、前記前軸の先端部に口先部材を螺着し、前記前軸に形成した段部と口先部材の後端面間にグリップ部材を配設するとともに、前記前軸の段部の外径を後軸の内径よりも小さくし、前記前軸の段部が、前記後軸内に進入して前軸と後軸の螺着を終了してなる筆記具の軸筒であって、前記グリップ部材の長さを前記前軸の段部と口先部材の後端面間の距離より大きくし、前記グリップ部材を前記前軸の段部と口先部材の後端面間で圧縮して保持するとともに、前記グリップ部材の後端外径を前軸の段部の外径及び後軸の内径よりも大きく形成し、且つ前記口先部材の端面と後軸の先端面間との距離を前記グリップ部材の長さより小さくすることにより、前記後軸の先端面と前記口先部材の後端面間で、前記グリップ部材をさらに圧縮した状態に挟持して配設してあることを特徴とする筆記具の軸筒。
【請求項２】
前記前軸と後軸が、着脱自在に螺着してあることを特徴とする請求項１に記載の筆記具の軸筒。
【発明の詳細な説明】
【技術分野】
【０００１】
本発明は、前軸と後軸を螺着することによって軸筒本体を構成し、前記前軸の先端部に口先部材を装着し、口先部材の後端面と後軸の先端面間で、グリップ部材を圧縮した状態に挟持して保持した筆記具の軸筒に関する。
【背景技術】
【０００２】
従来から、前軸と後軸を螺着することによって軸筒本体を構成し、前軸の段部と軸筒の先端部の螺着した口先部材の後端面とでグリップ部材を配設してある筆記具の軸筒は知られている。
【０００３】
こうした筆記具の軸筒の構造は、グリップ部材を、前軸の段部と軸筒の先端部に螺着した口先部材の後端面とで挟持し、圧縮した状態で配設している。これは、筆記時にグリップ部材が前後及び回転移動してしまうことや、口先部材を螺着した際に、口先部材の後端面とグリップ部材の先端面及び／又はグリップの後端面と前軸の段部間に隙間が形成されるのを防止するためである。
【０００４】
しかしながら、グリップ部材を圧縮するには、口先部材の後端面とグリップ部材の先端面とが面接触しながら螺着する必要があるため、グリップ部材を圧縮しない場合に比べ、口先部材の螺着時の締め付け力が増大し、その結果、口先部材を螺着し難く、口先部材の締め不足により、口先部材が容易に外れ易くなり、移動や使用時に外れてしまうことがあった。
【０００５】
こうした問題を解決する手段として、本願出願人は、特開２００２−２１９８９６号公報「筆記具の軸筒」にて、グリップ部材の先端面に凹部を形成してグリップ部材の先端面と口金の後端面との接触面積を減少させることを開示しているが、口先部材が小さい場合や、口先部材が金属製である場合には、口先部材を掴んでも滑りやすく螺着し難いという問題が生じている。
【０００６】
ところで、従来の前軸と後軸を螺着する筆記具の軸筒は、前軸と後軸が当接することで螺着が終了する。そのため、螺着時に過度な力が加わった場合には、前軸及び／又は後軸が破損する恐れがあるため、前軸と後軸を螺着する力を加減する必要があり、その結果、前軸と後軸の締め不足により、前軸と後軸が容易に外れ易くなる恐れがあった。
【特許文献１】「特開２００２−２１９８９６号公報」
【発明の開示】
【発明が解決しようとする課題】
【０００７】
本発明はこうした問題に鑑み、口先部材の締め付け力を低減し、口先部材が容易に外れることがない、グリップ部材を圧縮した状態に配設した筆記具の軸筒を、簡単な構造で提供することにある。
【課題を解決するための手段】
【０００８】
本発明は、前軸と後軸を螺着することによって軸筒本体を構成し、前記前軸の先端部に口先部材を螺着し、前記前軸に形成した段部と口先部材の後端面間にグリップ部材を配設するとともに、前記前軸の段部の外径を後軸の内径よりも小さくし、前記前軸の段部が、前記後軸内に進入して前軸と後軸の螺着を終了してなる筆記具の軸筒であって、前記グリップ部材の長さを前記前軸の段部と口先部材の後端面間の距離より大きくし、前記グリップ部材を前記前軸の段部と口先部材の後端面間で圧縮して保持するとともに、前記グリップ部材の後端外径を前軸の段部の外径及び後軸の内径よりも大きく形成し、且つ前記口先部材の端面と後軸の先端面間との距離を前記グリップ部材の長さより小さくすることにより、前記後軸の先端面と前記口先部材の後端面間で、前記グリップ部材をさらに圧縮した状態に挟持して配設してあることを特徴とする。
【０００９】
また、前記前軸と後軸が、着脱自在に螺着してあることを特徴とする。
【発明の効果】
【００１０】
本発明は、口先部材の締め付け力を低減し、口先部材が容易に外れることがない、グリップ部材を圧縮した状態に配設した筆記具の軸筒を、簡単な構造で提供することができた。
【発明を実施するための最良の形態】
【００１１】
次に図面を参照しながら、本発明の筆記具の軸筒の実施例を説明するが、本発明は以下の実施例に限定されるものではない。
【００１２】
実施例１
図１から図４に示す筆記具の軸筒１は、前軸２の後端雄ねじ部２ｃと後軸３の雌ねじ部３ｃを着脱自在に螺着して軸筒本体を構成し、前軸２の先端雄ねじ部２ｂに黄銅を切削加工することにより形成した口先部材５の雌ねじ部５ｃを着脱自在に螺着し、口先部材５の後端面５ｂと、前軸２の段部２ａの先端面間に予め熱可塑性エラストマーにて成形したグリップ部材４を配設して筆記具の軸筒１を得ている。
【００１３】
また、後軸３にはクリップ部材１０を、後軸３の後端部の外壁に設けたクリップ部材１０側に向かって延びる突部１２と、クリップ部材１０の内壁面間に、突部１２を覆うようにコイルスプリング１３を配設し、クリップ部材１０の先端部の内壁面１０ａを、後軸３の外壁面側に常時弾発して付設してある。また、クリップ部材１０の後端部１０ｂを後軸３側に押圧することにより、クリップ部材１０の両側壁１０ｃと後軸３の支柱１１との連結部Ｓを支点とし、クリップ部材１０の先端部の内壁面１０ａを後軸３の外壁面から離間可能にしてある。
【００１４】
前軸２と後軸３からなる軸筒本体には、後軸３の後端から外方に突出した状態に配設したノック体６と、ノック体６の前方に、後軸３内の受け部材１４に当接して配設したコイルスプリング８によって後軸後端３ａ方向に付勢して配設した回転カム７と、後軸の内壁に形成したカム溝（図示せず）と、からなる回転カムによる出没機構を具備してあり、この回転カム７に先端にボールペンチップ９を装着したボールペンレフィル８の後端部を圧入したノック式ボールペンの筆記具の軸筒１としてある。
【００１５】
本発明の筆記具の軸筒１は、先ず、前軸２にグリップ部材４を配設して口先部材５を螺着する。この時、グリップ部材４の長さＬを前軸２と口先部材５の螺着終了後における口先部材５の後端面５ｂと前軸２の段部２ａの先端面間の距離Ｍより大きく（Ｌ＞Ｍ）することにより、グリップ部材４を前軸２の段部２ａの先端面と口先部材５の後端面５ｂ間に圧縮して配設する。尚、口先部材の螺着時に圧縮する距離は特に限定されないが口金の締め付け力を低減するため、０．０１ｍｍ以上、０．２ｍｍ以下とすることが好ましい。
【００１６】
その後、グリップ部材５を遊嵌した前軸２を後軸３に螺着する。この時、グリップ部材５の後端外径Ｆを、前軸２の段部２ａの外径Ｇよりも大きく（Ｆ＞Ｇ）形成し、且つ前軸２の段部２ａの外径Ｇを後軸３の先端部の内径Ｈよりも小さく（Ｇ＜Ｈ）するとともに、前軸２と後軸３の螺着終了後における口先部材５の後端面５ｂと後軸３の先端面３ｂ間との距離Ｎを、口先部材５の後端面５ｂと前軸２の段部２ａの先端面間の距離Ｍより小さく（Ｎ＜Ｍ）することによって、前軸２と後軸３を螺着すると、前軸２の段部２ａが後軸３内に進入し、グリップ部材４の先端面４ａと後端面４ｂが口先部材５の後端面５ｂと後軸３の先端面３ｂに当接し、口先部材５の後端面５ｂと後軸３の先端面３ｂ間に圧縮した状態に配設される。尚、圧縮する距離は特に限定されないがグリップ部材の回転を防止し、前軸と後軸の組立性を考慮して、０．１ｍｍ以上、０．５ｍｍ以下とすることが好ましい。
【００１７】
グリップ部材４を前軸２の段部２ａの先端面と口先部材５の後端面５ｂ間に配設することによって、組立時やボールペンレフィルの交換時等、前軸を後軸から取り外してもグリップ部材が抜け落ちすることがない。
【００１８】
また、口先部材の螺着時と、前軸２を後軸３の螺着時の段階的にグリップ部材４を圧縮した状態に挟持することによって、口先部材５を螺着し、一度にグリップ部材４を圧縮した状態に挟持する場合に比べ、口先部材５が、小さく金属製であって滑りやすくても、グリップ部材４による抵抗が少ないので、口先部材５を容易に、且つ確実に螺着することができる。
【００１９】
また、前軸２と後軸３の螺着は、前軸２の段部２ａと後軸３の内壁段部３ｄが当接することで終了するが、前軸２と後軸３の螺着によってグリップ部材４を圧縮して挟持するので、前軸２と後軸３の螺着終了前にグリップ部材４の圧縮による抵抗力が加わるため、締めすぎることがなくなり、前軸２及び／又は後軸３が破損し難くすることができる。
【００２０】
筆記具の軸筒１内に配設したボールペンレフィル８は、前軸２を後軸３から取り外すことによって交換可能としてあるので、口先部材５を外すことなくボールペンレフィル８を交換できるので、ボールペンレフィル８の交換作業が容易になるので好ましい。
【００２１】
本発明の実施例では、便宜上、後軸を１部品で形成してあるが、例えば中筒と外筒の２部品で形成する等、特に限定されるものではない。また、実施例では、グリップ部材を熱可塑性エラストマーで形成しているが、本発明のグリップ部材は、弾性変形可能な天然ゴム、シリコーンゴム、ブチルゴム、フッ素ゴム、塩化ビニル樹脂、ブタジエンゴム、ウレタンゴム、ポリエチレン樹脂、その他合成ゴム等、グリップ部材として一般的に知られている弾性体のなかから適宜選定すればよい。また、口先部材も金属製に限定されるものでなく、樹脂材料等、口先部材として一般的に知られている材料のなかから適宜選定すればよい。
【産業上の利用可能性】
【００２２】
筆記具の軸筒として広く実施可能であり、口先部材の締め不足により、口先部材が容易に外れ難く、通勤や通学等の移動時に効果的である。また、前軸と後軸を取り外して容易にボールペンレフィルを交換可能とするができる。
【図面の簡単な説明】
【００２３】
【図１】本発明の筆記具の軸筒を示す、縦断面図である。
【図２】図１における要部拡大断面図である。
【図３】図１における口先部材、前軸、後軸の組立行程を示す一部省略した図である。
【図４】図３における口先部材と前軸を螺着した状態を示す図である。
【符号の説明】
【００２４】
１  筆記具の軸筒
２  前軸
２ａ  段部
２ｂ  先端雄ねじ部
２ｃ  後端雄ねじ部
３  後軸
３ａ  後端
３ｂ  先端面
３ｃ  雌ねじ部
３ｄ  内壁段部
４  グリップ部材
４ａ  先端面
４ｂ  後端面
５  口先部材
５ａ  後端面
５ｂ  雌ねじ部
６  ノック体
７  回転カム
８  ボールペンレフィル
９  ボールペンチップ
Ｆ  グリップ部材の後端外径
Ｇ  段部の外径
Ｈ  後軸の先端部の内径
Ｌ  グリップ部材の長さ
Ｍ  口先部材の後端面と前軸の段部間の長さ
Ｎ  口先部材の後端面と後軸の先端面間の長さ
【図１】
2008207422.tif 000003
【図２】
2008207422.tif 000004
【図３】
2008207422.tif 000005
【図４】
2008207422.tif 000006